(57)【要約】【課題】  Ｉ／Ｏポートの数は、センサペンの座標位置を計算する複雑性と反比例する。【解決手段】  本発明は、複数のＸ軸およびＹ軸Ｉ／Ｏポートは、それぞれ直交法によりＸ軸およびＹ軸操作ワイヤに変換される。ポーリング信号は、Ｘ軸Ｉ／Ｏポートに伝送され、Ｘ軸走査ワイヤに送信される。ポーリング信号に応じて、複数のＸ軸検出信号が格納される。最大Ｘ軸検出信号および２番目に大きいＸ軸検出信号は、タッチパネルに接触するセンサペンのＸ座標位置を計算するように、比較法によって決定される。このステップが繰り返され、タッチパネルに接触するセンサペンのＹ座標位置を計算する。本方法によって、多くのＩ／Ｏポートが低減され得、タッチパネルの分解能が改善され得る。計算方法では、本発明は、タッチパネル上で接触するセンサペンの座標位置を計算するように、単純比較法を利用して最大検出信号および２番目に大きい検出信号を得る。【選択図】  図６
2004280833.tif 000002
【特許請求の範囲】
【請求項１】
タッチパネル用の座標検出方法であって、
（ａ）複数のＸ軸Ｉ／Ｏポートおよび複数のＹ軸Ｉ／Ｏポートをそれぞれ変換して、直交法により該タッチパネルの複数のＸ軸走査ワイヤおよび複数のＹ軸走査ワイヤを形成するステップと、
（ｂ）ポーリング信号を該Ｘ軸Ｉ／Ｏポートに順々に伝送するステップであって、該ポーリング信号は、その後該Ｘ軸走査ワイヤに伝送される、ステップと、
（ｃ）該ポーリング信号にしたがって、該タッチパネルをタッチするセンサからの複数のＸ軸検出信号を格納するステップと、
（ｄ）最大Ｘ軸検出信号および２番目に大きいＸ軸検出信号を決定し、その後該タッチパネル上の該センサのＸ座標位置を決定するステップと、
（ｅ）ポーリング信号を該Ｙ軸Ｉ／Ｏポートに順々に伝送するステップであって、該ポーリング信号は、その後該Ｙ軸走査ワイヤに伝送される、ステップと、
（ｆ）該ポーリング信号にしたがって、該タッチパネルをタッチする該センサからの複数のＹ軸検出信号を格納するステップと、
（ｇ）最大Ｙ軸検出信号および２番目に大きいＹ軸検出信号を決定し、その後該タッチパネル上の該センサのＹ座標位置を決定するステップと
を包含する、方法。
【請求項２】
Ｘ軸Ｉ／Ｏポートの数、またはＹ軸Ｉ／Ｏポートの数は、奇数Ｎであり、かつ前記Ｘ軸走査ワイヤの最大数、または前記Ｙ軸走査ワイヤの最大数は、Ｃ（Ｎ，２）＋１である、請求項１に記載の座標検出方法。
【請求項３】
Ｘ軸Ｉ／Ｏポートの数、またはＹ軸Ｉ／Ｏポートの数は、偶数Ｎであり、かつ前記Ｘ軸走査ワイヤの最大数、または前記Ｙ軸走査ワイヤの最大数は、Ｃ（Ｎ，２）−Ｎ／２＋２である、請求項１に記載の座標検出方法。
【請求項４】
タッチパネル用の座標検出システムであって、
複数のＸ軸Ｉ／Ｏポートおよび複数のＹ軸Ｉ／Ｏポートをそれぞれ変換して、直交法により該タッチパネルの複数のＸ軸走査ワイヤおよび複数のＹ軸走査ワイヤを形成する変換手段と、
ポーリング信号を該Ｘ軸Ｉ／Ｏポートおよび該Ｙ軸Ｉ／Ｏポートに順番に伝送する制御手段であって、該Ｘ軸走査ワイヤおよび該Ｙ軸走査ワイヤは、該応答ポーリング信号を有する、手段と、
該ポーリング信号にしたがって、複数のＸ軸検出信号および複数のＹ軸検出信号を検出するセンサと、
該センサからの該Ｘ軸検出信号および該Ｙ軸検出信号を格納するデータベースと、
最大Ｘ軸検出信号および２番目に大きいＸ軸検出信号を決定し、かつ最大Ｙ軸検出信号および２番目に大きい値のＹ軸検出信号を決定し、その後、該タッチパネルの該センサのＸ座標位置およびＹ座標位置を決定する算術手段と
を備える、システム。
【請求項５】
Ｘ軸Ｉ／Ｏポートの数、またはＹ軸Ｉ／Ｏポートの数は、奇数Ｎであり、かつ前記Ｘ軸走査ワイヤの最大数、または前記Ｙ軸走査ワイヤの最大数は、Ｃ（Ｎ，２）＋１である、請求項４に記載の座標検出システム。
【請求項６】
Ｘ軸Ｉ／Ｏポートの数、またはＹ軸Ｉ／Ｏポートの数は、偶数Ｎであり、かつ前記Ｘ軸走査ワイヤの最大数、または前記Ｙ軸走査ワイヤの最大数は、Ｃ（Ｎ，２）−Ｎ／２＋２である、請求項４に記載の座標検出システム。
【請求項７】
前記センサは、アンテナおよび復調回路を備え、該アンテナは、前記Ｘ軸検出信号および前記Ｙ軸検出信号を検出するために利用され、該復調回路は、該Ｘ軸検出信号および該Ｙ軸検出信号を復調するため、ならびに該Ｘ軸検出信号および該Ｙ軸検出信号を前記データベースに伝送するために利用される、請求項４に記載の座標検出システム。
【請求項８】
前記センサは、前記復調回路を変換して外部ノイズを遮蔽するための遮蔽ハウジングを備える、請求項７に記載の座標検出システム。
【発明の詳細な説明】
【技術分野】
【０００１】
本発明は、座標検出法およびシステムに関し、より具体的には、タッチパネルの座標検出法およびシステムに関する。
【背景技術】
【０００２】
従来のタッチパネルの座標検出法は、接触マトリックス座標検出法、非接触電界型または静電容量型座標検出法、および分圧型座標検出法を含む。
【０００３】
接触マトリックス座標検出法は、複数のＸ軸およびＹ軸走査ワイヤを形成するために、複数のＩ／Ｏポートを有するコントローラを利用する。コントローラは、Ｘ軸走査ワイヤに信号を伝送し、Ｙ軸走査ワイヤから信号を読み出し、これにより、ユーザによって触れられた座標位置が取得され得る。この方法は、コントローラのＩ／Ｏポートを利用し、かつ、Ｉ／Ｏポートの数が制限されるので、Ｘ軸およびＹ軸走査ワイヤの数は、増加し得ず、この方法で用いられるタッチパネルの分解能は改善され得ない。
【０００４】
非接触電界型座標検出法は、複数のＸ軸およびＹ軸走査ワイヤを形成するために、複数のＩ／Ｏポートを有するコントローラを利用する。検出信号を読み出すためにセンサペンが用いられ、このセンサペンの座標位置が計算され得る。この方法で、コントローラのＩ／Ｏポートが、Ｘ軸およびＹ軸走査ワイヤに次々と変換されるか、または、１つのＩ／Ｏポートが、複数のＸ軸（またはＹ軸）走査ワイヤに変換される。ペンの位置を計算するために、コントローラは、座標位置を正確に計算するために、それぞれ、信号を時計方向および反時計方向で（レベルローからレベルハイに）Ｉ／Ｏポートに伝送しなければならない。
【０００５】
この方法で、Ｉ／Ｏポートの数は、１つ以上の変換法によって低減され得る。しかしながら、信号は、それぞれ、時計方向および反時計方向で伝送されなければならず、従って、センサペンは、これらの２つの信号の検出信号を読み出す。これらの２つの検出信号は、電圧傾斜の形態であり、座標位置を計算するために、互いに比較される。電圧傾斜は、理論的には線形であるが、この電圧傾斜は、実際には非線形である。電圧傾斜の非線形部分を補償するためにソフトウェアプログラムが必要とされる。従って、座標位置を計算する方法は複雑である。
【０００６】
分圧型座標検出法は、複数のＸ軸およびＹ軸走査ワイヤを形成するために、複数のＩ／Ｏポートを有するコントローラを利用する。各Ｘ軸（またはＹ軸）走査ワイヤは、Ｉ／Ｏポートによって形成されたメインラインに接続される。分圧回路は、メインラインの抵抗を利用することによって形成される。この方法を用いて、Ｘ軸およびＹ軸走査ワイヤの数は、Ｉ／Ｏポートの数に制限されない。しかしながら、コントローラの電源がオンにされた場合、コントローラは、メインラインにおける周囲および材料干渉を低減するために、システムを較正しなければならない。同様に、座標位置を正確に計算するために、コントローラは、信号を、それぞれ、時計方向および反時計方向で（レベルローからレベルハイに）Ｉ／Ｏポートに伝送しなければならない。
【０００７】
分圧型座標検出法において、メインラインを形成するために、数個のＩ／Ｏポートが用いられ、このメインラインは、Ｘ軸およびＹ軸走査ワイヤに分割される。しかしながら、抵抗材料の不安定な特性、および分岐ノード間の電界強度の差を克服するための、ペンの座標位置を取得するための計算法は、非常に複雑である。分圧型座標検出法のためのソフトウェアは、非接触電界型座標検出法のソフトウェアよりも複雑である。
【発明の開示】
【発明が解決しようとする課題】
【０００８】
上述の従来の方法において、Ｉ／Ｏポートの数は、センサペンの座標位置を計算する複雑性と反比例する。すなわち、コントローラが有するＩ／Ｏポートが多いほど、計算法はより簡単になる。コントローラが有するＩ／Ｏポートが少ないほど、計算法は複雑になる。
【０００９】
従って、上述の問題を解決するために新規的および進歩的な座標検出法を提供する必要がある。
【課題を解決するための手段】
【００１０】
本発明の１つの目的は、タッチパネルの座標検出法を提供することである。座標検出法は、（ａ）直交法によって、タッチパネルの複数のＸ軸走査ワイヤおよび複数のＹ軸走査ワイヤを形成するために、複数のＸ軸Ｉ／Ｏポートおよび複数のＹ軸Ｉ／Ｏポートをそれぞれ変換するステップと、（ｂ）ポーリング信号をＸ軸Ｉ／Ｏポートに順々に伝送し、その後、ポーリング信号は、Ｘ軸走査ワイヤに伝送されるステップと、（ｃ）ポーリング信号に従って、タッチパネルと接触するセンサからの複数のＸ軸検出信号を格納し、（ｄ）最大Ｘ軸検出信号および２番目に大きいＸ軸検出信号を決定し、その後、タッチパネル上のセンサのＸ座標位置を検出するステップと、（ｅ）ポーリング信号をＹ軸Ｉ／Ｏポートに順々に伝送し、その後、ポーリング信号は、Ｙ軸走査ワイヤに伝送されるステップと、（ｆ）ポーリング信号に従って、タッチパネルと接触するセンサからの複数のＹ軸検出信号を格納するステップと、（ｇ）最大Ｙ軸検出信号および２番目に大きいＹ軸検出信号を決定し、その後、タッチパネル上のセンサのＹ座標位置を決定するステップとを包含する。
【００１１】
本発明の座標検出法により、Ｘ軸およびＹ軸Ｉ／Ｏポートが、直交法によってＸ軸およびＹ軸走査ワイヤにそれぞれ変換される。Ｉ／Ｏポートの数は、制限され得、かつ、タッチパネルの分解能が改善され得る。計算方法については、本発明は、最大検出信号および２番目に大きい検出信号を取得するために、簡単な比較法を利用し、これにより、タッチパネルと接触するペンの座標位置を計算する。従って、本発明の座標検出法は、非常に簡単かつ迅速である。
【００１２】
本発明によるタッチパネル用の座標検出方法は、（ａ）複数のＸ軸Ｉ／Ｏポートおよび複数のＹ軸Ｉ／Ｏポートをそれぞれ変換して、直交法により該タッチパネルの複数のＸ軸走査ワイヤおよび複数のＹ軸走査ワイヤを形成するステップと、（ｂ）ポーリング信号を該Ｘ軸Ｉ／Ｏポートに順々に伝送するステップであって、該ポーリング信号は、その後該Ｘ軸走査ワイヤに伝送される、ステップと、（ｃ）該ポーリング信号にしたがって、該タッチパネルをタッチするセンサからの複数のＸ軸検出信号を格納するステップと、（ｄ）最大Ｘ軸検出信号および２番目に大きいＸ軸検出信号を決定し、その後該タッチパネル上の該センサのＸ座標位置を決定するステップと、（ｅ）ポーリング信号を該Ｙ軸Ｉ／Ｏポートに順々に伝送するステップであって、該ポーリング信号は、その後該Ｙ軸走査ワイヤに伝送される、ステップと、（ｆ）該ポーリング信号にしたがって、該タッチパネルをタッチする該センサからの複数のＹ軸検出信号を格納するステップと、（ｇ）最大Ｙ軸検出信号および２番目に大きいＹ軸検出信号を決定し、その後該タッチパネル上の該センサのＹ座標位置を決定するステップとを包含し、これにより上記目的を達成する。
【００１３】
Ｘ軸Ｉ／Ｏポートの数、またはＹ軸Ｉ／Ｏポートの数は、奇数Ｎであり、かつ前記Ｘ軸走査ワイヤの最大数、または前記Ｙ軸走査ワイヤの最大数は、Ｃ（Ｎ，２）＋１であってもよい。
【００１４】
Ｘ軸Ｉ／Ｏポートの数、またはＹ軸Ｉ／Ｏポートの数は、偶数Ｎであり、かつ前記Ｘ軸走査ワイヤの最大数、または前記Ｙ軸走査ワイヤの最大数は、Ｃ（Ｎ，２）−Ｎ／２＋２であってもよい。
【００１５】
本発明によるタッチパネル用の座標検出システムは、複数のＸ軸Ｉ／Ｏポートおよび複数のＹ軸Ｉ／Ｏポートをそれぞれ変換して、直交法により該タッチパネルの複数のＸ軸走査ワイヤおよび複数のＹ軸走査ワイヤを形成する変換手段と、ポーリング信号を該Ｘ軸Ｉ／Ｏポートおよび該Ｙ軸Ｉ／Ｏポートに順番に伝送する制御手段であって、該Ｘ軸走査ワイヤおよび該Ｙ軸走査ワイヤは、該応答ポーリング信号を有する、手段と、該ポーリング信号にしたがって、複数のＸ軸検出信号および複数のＹ軸検出信号を検出するセンサと、該センサからの該Ｘ軸検出信号および該Ｙ軸検出信号を格納するデータベースと、最大Ｘ軸検出信号および２番目に大きいＸ軸検出信号を決定し、かつ最大Ｙ軸検出信号および２番目に大きい値のＹ軸検出信号を決定し、その後、該タッチパネルの該センサのＸ座標位置およびＹ座標位置を決定する算術手段とを備え、これにより上記目的を達成する。
【００１６】
Ｘ軸Ｉ／Ｏポートの数、またはＹ軸Ｉ／Ｏポートの数は、奇数Ｎであり、かつ前記Ｘ軸走査ワイヤの最大数、または前記Ｙ軸走査ワイヤの最大数は、Ｃ（Ｎ，２）＋１であってもよい。
【００１７】
Ｘ軸Ｉ／Ｏポートの数、またはＹ軸Ｉ／Ｏポートの数は、偶数Ｎであり、かつ前記Ｘ軸走査ワイヤの最大数、または前記Ｙ軸走査ワイヤの最大数は、Ｃ（Ｎ，２）−Ｎ／２＋２であってもよい。
【００１８】
前記センサは、アンテナおよび復調回路を備え、該アンテナは、前記Ｘ軸検出信号および前記Ｙ軸検出信号を検出するために利用され、該復調回路は、該Ｘ軸検出信号および該Ｙ軸検出信号を復調するため、ならびに該Ｘ軸検出信号および該Ｙ軸検出信号を前記データベースに伝送するために利用されてもよい。
【００１９】
前記センサは、前記復調回路を変換して外部ノイズを遮蔽するための遮蔽ハウジングを備えてもよい。
【発明の効果】
【００２０】
本発明の方法によると、センサペンのＸ座標位置およびＹ座標位置を簡単かつ迅速に計算することができる。
【００２１】
本発明の方法によると、Ｉ／Ｏポートの数を低減し、タッチパネルの分解能を改善することができる。
【発明を実施するための最良の形態】
【００２２】
図１を参照して、ステップ１１において、直交法により、タッチパネルの複数のＸ軸走査ワイヤおよび複数のＹ軸走査ワイヤを形成するために、複数のＸ軸Ｉ／Ｏポートおよび複数のＹ軸Ｉ／Ｏポートがそれぞれ変換される。図２を参照して、５本のＸ軸Ｉ／Ｏポート、Ｉ／Ｏ（１）、Ｉ／Ｏ（２）、Ｉ／Ｏ（３）、Ｉ／Ｏ（４）およびＩ／Ｏ（５）が、１１本のＸ軸走査ワイヤ（Ｘ１〜Ｘ１１）に変換される。Ｉ／Ｏ（１）は、Ｘ２およびＸ６走査ワイヤに接続される。Ｉ／Ｏ（２）は、Ｘ３およびＸ１０走査ワイヤに接続される。Ｉ／Ｏ（３）は、Ｘ４およびＸ７走査ワイヤに接続される。Ｉ／Ｏ（４）は、Ｘ５およびＸ９走査ワイヤに接続される。Ｉ／Ｏ（５）は、Ｘ１、Ｘ８およびＸ１１走査ワイヤに接続される。
【００２３】
上述の変換法で、Ｉ／Ｏポートの数は、走査ワイヤの数よりも少なく、走査ワイヤの配列は、直交法に従わなければならない。すなわち、２本の走査ワイヤ間の走査間隔は、専用のＩ／Ｏポートと相関する。例えば、Ｘ１とＸ２走査ワイヤとの間の走査間隔は、専用のＩ／Ｏポート、Ｉ／Ｏ（５）およびＩ／Ｏ（１）と相関する。他の走査間隔は、専用のＩ／Ｏポート、Ｉ／Ｏ（５）およびＩ／Ｏ（１）と相関しない。この方法は、グループアレンジＩ／Ｏ技術（Ｇｒｏｕｐ  ＡｒｒａｎｇｅｄＩ／Ｏ  Ｔｅｃｈｎｏｌｏｇｙ）である。
【００２４】
このグループアレンジＩ／Ｏ技術によると、Ｘ軸Ｉ／Ｏポートの数はＮ個であり、Ｎは、奇数である。Ｘ軸走査ワイヤの最大数は、Ｃ（Ｎ，２）＋１であり、走査間隔の最大数は、Ｃ（Ｎ，２）である。Ｎが偶数である場合、Ｘ軸走査ワイヤの最大数は、Ｃ（Ｎ，２）−Ｎ／２＋２であり、走査間隔の最大数は、Ｃ（Ｎ，２）−Ｎ／２＋１である。例えば、Ｎ＝５である場合、図２に示されるように、Ｘ軸走査ワイヤの最大数がＣ（５，２）＋１＝１１である。Ｎ＝６である場合、Ｘ軸走査ワイヤの最大数は、Ｃ（６，２）−６／３＋２＝１４である。
【００２５】
ステップ１２において、ポーリング信号は、Ｘ軸Ｉ／Ｏポートに順々に伝送され、ポーリング信号は、Ｘ軸走査ワイヤに伝送される。図３および図４を参照して、方形波（ポーリング信号）は、Ｉ／Ｏ（１）〜Ｉ／Ｏ（５）に順々に伝送され、Ｘ軸走査ワイヤは、対応する方形波を有する。換言すると、Ｉ／Ｏ（１）は、Ｘ２およびＸ６走査ワイヤに接続されているので、Ｉ／Ｏ（１）が方形波を受信する場合、Ｘ２およびＸ６走査ワイヤは、方形波を有する。
【００２６】
ステップ１３において、ポーリング信号に従って、複数のＸ軸検出信号が格納される。Ｘ軸検出信号は、タッチパネルと接触するセンサペンから来る。すなわち、Ｉ／Ｏポートが、ポーリング信号を発信した場合、センサペンは、Ｘ軸検出信号を検出する。上述の実施形態において、５個のＸ軸Ｉ／Ｏポートがあり、かつ、ポーリング信号は、Ｉ／Ｏポートに順々に伝送される。従って、センサペンは、ポーリング信号に対応する５個のＸ軸検出信号を検出する。
【００２７】
ステップ１４において、最大Ｘ軸検出信号および２番目に大きいＸ軸検出信号は、比較法によって決定され、これにより、タッチパネルに接触するセンサペンのＸ座標位置を計算する。センサペンがＸ８とＸ９走査ワイヤとの間の座標位置に接触し、かつ、座標位置がＸ９走査ワイヤの近傍にある場合の実施形態が後述される。Ｉ／Ｏ（４）がポーリング信号を発信した場合、センサペンは、最大Ｘ軸検出信号を検出する。Ｉ／Ｏ（５）がポーリング信号を発信した場合、センサペンは、２番目に大きいＸ軸検出信号を検出する。その理由は、Ｘ８走査ワイヤがＩ／Ｏ（５）に接続され、かつ、Ｘ９走査ワイヤがＩ／Ｏ（４）に接続されるからである。従って、Ｘ軸Ｉ／ＯポートとＸ軸走査ワイヤとの、ポーリング信号間の、およびセンサペンからの最大Ｘ軸走査ワイヤと２番目に大きいＸ軸走査ワイヤとの関係により、センサペンの座標位置が、Ｘ８走査ワイヤとＸ９走査ワイヤとの間の座標位置にて計算され得、座標位置は、Ｘ９走査ワイヤの近傍にある。
【００２８】
従って、本発明の上述の方法により、センサペンのＸ座標位置は、簡単かつ迅速に計算され得る。Ｉ／Ｏポートの数が低減され得、タッチパネルの分解能が改善され得る。
【００２９】
センサペンのＹ座標位置を計算する方法は、センサペンのＸ座標位置を計算する方法と同じである。ステップ１５において、ポーリング信号は、Ｙ軸Ｉ／Ｏポートに伝送され、かつ、Ｙ軸走査ワイヤに伝送される。ステップ１６に示されるように、ポーリング信号に従って、複数のＹ軸検出信号が格納される。図１７に示されるように、最大Ｙ軸検出信号および２番目に大きいＹ軸検出信号が、比較法によって検出され、これにより、タッチパネルと接触するセンサペンのＹ座標位置を計算する。従って、本発明の上述の方法により、センサペンのＹ座標位置が、簡単かつ迅速に計算され得る。センサペンのＸ座標位置およびＹ座標位置が上述の方法によって取得され得る。
【００３０】
本発明の座標検出法により、Ｘ軸およびＹ軸Ｉ／Ｏポートが、直交法によって、Ｘ軸およびＹ軸走査ワイヤにそれぞれ変換される。Ｉ／Ｏポートの数が低減され得、タッチパネルの分解能が改善され得る。計算方法については、本発明は、最大検出信号および２番目に大きい検出信号を取得し、それにより、タッチパネルと接触するセンサペンの座標位置を計算する簡単な決定法を利用する。従って、本発明の座標検出法は、非常に簡単かつ迅速である。本発明の座標検出法は、Ｉ／Ｏポートの数を低減するという有利な点および計算方法が簡単であるという有利な点の両方を有する。
【００３１】
図５を参照して、本発明により、タッチパネルの座標検出法５０を示す。座標検出法５０は、変換手段５１、制御手段５２、センサペン５３、データベース５４および算術手段５５を含む。変換手段５１は、複数のＸ軸Ｉ／Ｏポートおよび複数のＹ軸Ｉ／Ｏポートをそれぞれ変換して、タッチパネルの複数のＸ軸走査ワイヤ（Ｘ１〜Ｘｎ）、および複数のＹ軸走査ワイヤ（Ｙ１〜Ｙｍ）を形成する。図２を参照して、５個のＸ軸Ｉ／Ｏポート、Ｉ／Ｏ（１）〜Ｉ／Ｏ（５）が、１１本のＸ軸走査ワイヤ（Ｘ１〜Ｘ１１）に変換される。Ｘ軸走査ワイヤおよびＹ軸走査ワイヤは、タッチパネルの座標として形成される。
【００３２】
ポーリング信号をＸ軸Ｉ／ＯポートおよびＹ軸Ｉ／Ｏポートに順々に伝送するために制御手段５２が用いられ、Ｘ軸走査ワイヤおよびＹ軸走査ワイヤが応答するポーリング信号を受信する。図３および図４を参照して、これらは、方形波（ポーリング信号）がＩ／Ｏ（１）からＩ／Ｏ（５）に順々に伝送され、かつ、Ｘ軸走査ワイヤが対応する方形波を受信することを示す。
【００３３】
センサペン５３は、ポーリング信号に従って、複数のＸ軸検出信号および複数のＹ軸検出信号を検出するために用いられる。図６を参照して、センサペン５３は、アンテナ５３１および復調回路５３２、プリント回路基板５３３、遮蔽ハウジング５３４、およびケーブル５３５を備える。プリント回路基板５３３上のラインは、アンテナとみなされ、このアンテナ５３１は、ポーリング信号に従って、Ｘ軸検出信号およびＹ軸検出信号を検出するために用いられる。Ｘ軸検出信号およびＹ軸検出信号は、復調回路５３２に伝送され、この復調回路は、Ｘ軸検出信号およびＹ軸検出信号を復調する。その後、復調されたＸ軸検出信号およびＹ軸検出信号は、テーブル５３５によってデータベース５４に伝送される。遮蔽ハウジング５３４は、復調回路５３２を覆い、外部ノイズを隔絶する。遮蔽ハウジング５３５は、好適には、円形であり、これにより、ユーザがセンサを保持することを容易にする。
【００３４】
データベース５４は、センサペン５３からのＸ軸検出信号およびＹ軸検出信号を格納するために用いられる。図３に示される実施形態によると、５つのＸ軸Ｉ／Ｏポートがあり、ポーリング信号は、Ｉ／Ｏポートに順々に伝送される。センサペン５３は、ポーリング信号に従って、５つのＸ軸検出信号を検出し、５つのＸ軸検出信号は、データベース５４に格納される。
【００３５】
算術手段５５は、データベース５４に格納されたＸ軸検出信号の中で、最大Ｘ軸検出信号および２番目に大きいＸ軸検出信号、および、データベース５４に格納されたＹ軸検出信号の中で、最大Ｙ軸検出信号および２番目に大きいＹ軸検出信号を検出するために用いられる。その後、Ｉ／Ｏポートと走査ワイヤとポーリング信号との間の関係により、タッチパネル上のセンサペンのＸ座標位置およびＹ座標位置が取得され得る。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３７】
（要旨）
本発明は、タッチパネル用の座標検知方法に関する。まず、複数のＸ軸およびＹ軸Ｉ／Ｏポートは、それぞれ直交法によりＸ軸およびＹ軸操作ワイヤに変換される。ポーリング信号は、Ｘ軸Ｉ／Ｏポートに伝送され、Ｘ軸走査ワイヤに送信される。ポーリング信号に応じて、複数のＸ軸検出信号が格納される。最大Ｘ軸検出信号および２番目に大きいＸ軸検出信号は、タッチパネルに接触するセンサペンのＸ座標位置を計算するように、比較法によって決定される。このステップが繰り返され、タッチパネルに接触するセンサペンのＹ座標位置を計算する。本発明の座標検知方法によって、多くのＩ／Ｏポートが低減され得、タッチパネルの分解能は、改善され得る。計算方法について、本発明は、タッチパネル上で接触するセンサペンの座標位置を計算するように、単純比較法を利用して、最大検出信号および２番目に大きい検出信号を得る。従って、本発明の座標検出方法は、非常に単純かつ高速である。
【図面の簡単な説明】
【００３８】
【図１】図１は、本発明による、タッチパネルの座標検出法のフローチャートを示す。
【図２】図２は、本発明の実施形態により、Ｘ軸Ｉ／ＯポートがＸ軸走査ワイヤに変換されたことを示す。
【図３】図３は、本発明の実施形態による、Ｘ軸Ｉ／Ｏポートに伝送されたポーリング信号を示す。
【図４】図４は、本発明の実施形態による、Ｘ軸走査ワイヤに伝送されたポーリング信号を示す。
【図５】図５は、本発明による、タッチパネルの座標検出システムのブロック図を示す。
【図６】図６は、本発明による、ペンの簡略図を示す。
【符号の説明】
【００３９】
５０    座標検出法
５１    変換手段
５２    制御手段
５３    センサペン
５４    データベース
５５    算術手段
５３１  アンテナ
５３２  復調回路
５３３  プリント回路基板
５３４  遮蔽ハウジング
５３５  テーブル
【図１】
2004280833.tif 000003
【図２】
2004280833.tif 000004
【図３】
2004280833.tif 000005
【図４】
2004280833.tif 000006
【図５】
2004280833.tif 000007
【図６】
2004280833.tif 000008